(57)【要約】【課題】枕の高さを容易に調整することができ、枕カバーの脱着が容易で、かつ枕本体から枕カバーがズレないようにした枕カバーを提供する。【解決手段】枕本体２０に前後方向へ略一巻して枕本体を覆うカバー本体１１と、該カバー本体の終端から延伸する補助カバー１２からなる枕カバー１０であって、前記カバー本体の左右両縁部の始端及び終端に主留具１３ａ，１３ｂを固着し、始端側半分及び終端側半分の左右両縁部の中間部に副留具１４ａ，１４ｂを固着し、始端側の主留具１３ａと副留具１４ａを終端側の主留具１３ｂと副留具１４ｂへ着脱可能に嵌着して、前記カバー本体を前記枕本体に装着する。  また、前記補助カバーと前記カバー本体の左右両縁部に補助カバー側調整留具１５ａと前後方向に沿って３個の本体側調整留具１５ｂ，１５ｃ，１５ｄを固着し、前記補助カバー側調整留具を前記本体側調整留具のいずれか一つに着脱可能に嵌着して枕の高さを調整する。【選択図】図４
2006094894.tif 000002
【特許請求の範囲】
【請求項１】
枕本体に前後方向へ略一巻して枕本体を覆うカバー本体と、該カバー本体の終端から延伸する補助カバーからなる枕カバーであって、前記カバー本体の始端側の左右両縁部に始端側主留具を固着すると共に、前記カバー本体の終端側の左右両縁部に前記始端側主留具に着脱可能に嵌着する終端側主留具を固着し、前記カバー本体の始端側半分の左右両縁部に前後方向に沿って複数個の本体側調整留具を固着し、前記補助カバーの左右両縁部に前記本体側調整留具に着脱可能に嵌着する補助カバー側調整留具を少なくとも一個固着し、始端側主留具に終端側主留具を嵌着して前記カバー本体を前記枕本体に装着し、前記補助カバー側調整留具を前記本体側調整留具のいずれか一つに嵌着して、前記補助カバーを前記カバー本体に装着するように構成したことを特徴とする枕カバー。
【請求項２】
枕本体に前後方向へ略一巻して枕本体を覆うカバー本体と、該カバー本体の終端から延伸する補助カバーからなる枕カバーであって、前記カバー本体の始端側の左右両縁部に始端側主留具を固着すると共に、前記カバー本体の終端側の左右両縁部に前記始端側主留具に着脱可能に嵌着する終端側主留具を固着し、前記カバー本体の始端側半分の左右両縁部の中間部に少なくとも一個の本体側調整留具を固着し、前記補助カバーの左右両縁部に前後方向に沿って前記本体側調整留具に着脱可能に嵌着する複数個の補助カバー側調整留具を固着し、前記始端側主留具に前記終端側主留具を嵌着して前記カバー本体を前記枕本体に装着し、前記本体側調整留具に前記補助カバー側調整留具のいずれか一つを嵌着して、前記補助カバーを前記カバー本体に装着するように構成したことを特徴とする枕カバー。
【請求項３】
前記カバー本体の始端側半分の左右両縁部の中間部に本体始端側副留具を固着すると共に、前記カバー本体の終端側半分の左右両縁部の中間部に前記本体始端側副留具に着脱可能に嵌着する本体終端側副留具を固着したことを特徴とする請求項１又は２に記載の枕カバー。
【発明の詳細な説明】
【技術分野】
【０００１】
本発明は、枕の高さを調節することができる枕カバーに関する。
【背景技術】
【０００２】
従来、ホテル・旅館等の宿泊施設、或は病院・老人福祉施設等の入院介護施設において使用される枕カバーは、吸水性に優れた亜麻布等からなる布地を袋状に形成すると共に、該枕カバーの中へ枕本体を入れ、余った部分を折り畳んで枕本体の下に配設するようにして、肌が触れる部分を清潔に保つことができ、かつ寝床の準備や片付けをすばやく行なうことができるようにされている。
【０００３】
また、以前より枕が睡眠中の人体へ与える影響は大きく、その中でも枕の高さは体形、或は好み等に大きく左右され、安眠効果を高めるための重要な要素の内の一つであることが知られている。
そこで、枕の最適な高さを得るために、引用文献１に開示されている枕は、枕本体の上面にウレタン樹脂等からなるシートを少なくとも１枚載置し、枕本体とシートを枕カバーで被覆し、枕カバーを面ファスナーで枕本体底面に固定した枕であって、前記シートの枚数を必要枚数だけ増減させて枕の高さが最適に調整されるようにしており、また、引用文献２に開示されている枕は、袋状に形成した枕カバーの袋口へ３条のファスナーを設け、該枕カバーの中に枕本体を収納した枕であって、該ファスナーを順次閉じることで、所定の高さが得られるようにしている。
【特許文献１】特開２００１−１６９８８７号公報
【特許文献２】実用新案登録第３０６５６４８号公報
【発明の開示】
【発明が解決しようとする課題】
【０００４】
しかしながら、従来宿泊施設や入院介護施設で使用されている枕は、袋状の枕カバーに枕本体を収めるので、使用者が枕本体を見ることが容易にできず、汗やよだれ等が染み込んだ汚れ、或は汗臭さやタバコ等の臭いが枕本体に付いていても気付き難く、また本当に清潔な枕本体へカバーがしてあるのか使用者に不安感を抱かせるおそれがある。
【０００５】
さらに、上記の場所で使用される枕は一般的な体格の人に合わせて形成されているので、枕の高さをそれぞれ好みの高さに調整することは困難である。
ここで、特許文献１或は特許文献２に開示される枕は、使用者がそれぞれの好みに合わせて所定の高さに調整することができる枕であって、前記宿泊施設或は入院介護施設で用いれば上記の問題は解決することができる。
しかし、特許文献１に開示される枕は、高さ調整用に必要シートを複数枚用意しておかなければならず、シートを収納しておくスペースが必要である。また高さを調整するたびに枕カバーを外してシートを重ねなければならず、適切な高さを得るために手間が掛かる。
そして、特許文献２に開示される枕は、高さ調節することが容易にできるが、袋状の枕カバーは、使用者の不安感を解消するには至らない。
加えて、両文献に記載の枕は、枕カバーが面ファスナー或はファスナーが用いられるが、上記の宿泊施設や入院介護施設で使用する場合、清潔に保つために枕カバーは頻繁に洗濯される。このとき、面ファスナーは係着面に糸くず・毛髪等が絡まるおそれがあり、ファスナーは寝床の準備や片付けをする際に枕本体や枕カバーを形成する布を挟み込んでしまい破損するおそれがある。
【０００６】
本発明は上記の問題に鑑みなされたものであって、枕の高さを容易に調整することができ、枕カバーの脱着が容易で、かつ枕本体から枕カバーがズレないようにした枕カバーを提供することを目的とする。
【課題を解決するための手段】
【０００７】
上記の課題を解決する本発明は、枕本体に前後方向へ略一巻して枕本体を覆うカバー本体と、該カバー本体の終端から延伸する補助カバーからなる枕カバーであって、前記カバー本体の始端側の左右両縁部に始端側主留具を固着すると共に、前記カバー本体の終端側の左右両縁部に前記始端側主留具に着脱可能に嵌着する終端側主留具を固着し、前記カバー本体の始端側半分の左右両縁部に前後方向に沿って複数個の本体側調整留具を固着し、前記補助カバーの左右両縁部に前記本体側調整留具に着脱可能に嵌着する補助カバー側調整留具を少なくとも一個固着し、始端側主留具に終端側主留具を嵌着して前記カバー本体を前記枕本体に装着し、前記補助カバー側調整留具を前記本体側調整留具のいずれか一つに嵌着して、前記補助カバーを前記カバー本体に装着するように構成したことを特徴とする。
若しくは、枕本体に前後方向へ略一巻して枕本体を覆うカバー本体と、該カバー本体の終端から延伸する補助カバーからなる枕カバーであって、前記カバー本体の始端側の左右両縁部に始端側主留具を固着すると共に、前記カバー本体の終端側の左右両縁部に前記始端側主留具に着脱可能に嵌着する終端側主留具を固着し、前記カバー本体の始端側半分の左右両縁部の中間部に少なくとも一個の本体側調整留具を固着し、前記補助カバーの左右両縁部に前後方向に沿って前記本体側調整留具に着脱可能に嵌着する複数個の補助カバー側調整留具を固着し、前記始端側主留具に前記終端側主留具を嵌着して前記カバー本体を前記枕本体に装着し、前記本体側調整留具に前記補助カバー側調整留具のいずれか一つを嵌着して、前記補助カバーを前記カバー本体に装着するように構成したことを特徴とする。
そして好ましくは、前記カバー本体の始端側半分の左右両縁部の中間部に本体始端側副留具を固着すると共に、前記カバー本体の終端側半分の左右両縁部の中間部に前記本体始端側副留具に着脱可能に嵌着する本体終端側副留具を固着した。
【発明の効果】
【０００８】
請求項１及び２に記載の本発明に係る枕カバーは、カバー本体を前後方向で折り返して始端側半分と終端側半分に分け、折り返したカバー本体を枕本体に被せて始端側主留具と終端側主留具を嵌着する。両主留具の嵌着により枕カバーを枕本体に迅速、かつ容易に装着することができる。
次に、請求項１に記載の本発明によれば、少なくとも一つの補助カバー側調整留具と前後方向に並設した複数個の本体側調整留具をそれぞれ補助カバーとカバー本体の左右両縁部に固着し、補助カバー側調整留具が本体側調整留具のいずれか一つに嵌着する位置を前後方向に沿って変えることができるようにした。したがって、並設した本体側調整留具の間隔毎に始端側主留具から本体側調整留具までの長さを前後方向に沿って変化させることができる。ここで終端側主留具から補助カバー側調整留具までの長さは一定であるので、始端側主留具から本体側調整留具までの長さを長くすると、補助カバーがカバー本体を引っ張る強さが大きくなるので、カバー本体が前後幅方向に枕本体を押圧する。よって枕本体の内容物は中央部分に集められ、枕の高さを段階的に変えることができる。
また、請求項２に記載の本発明によれば、少なくとも一つの本体側調整留具と前後方向に並設した複数個の補助カバー側調整留具をそれぞれカバー本体と補助カバーの左右両縁部に固着し、本体側調整留具が補助カバー側調整留具のいずれか一つに嵌着する位置が前後方向に沿って変えることができるようにした。したがって、並設した補助カバー側調整留具の間隔毎に終端側主留具から補助カバー側調整留具までの長さを前後方向に沿って変化させることができる。ここで始端側主留具から本体調整留具までの長さは一定であるので、終端側主留具から補助カバー側調整留具までの長さを短くすると、補助カバーがカバー本体を引っ張る強さが大きくなり、カバー本体は前後幅方向に枕本体を押圧する。よって枕本体の内容物は中央部分に集められ、枕の高さを段階的に変えることができる。
さらに、請求項３に記載の本発明によれば、カバー本体の始端側半分と終端側半分の左右両縁部の中間部に本体始端側副留具と本体終端側副留具を固着し、本体始端側副留具と本体終端側副留具は着脱可能に嵌着するようにした。そのため、枕本体に装着した枕カバーが左右方向にズレず、調節時に枕カバーが逃げないので、すばやく枕をセッティングすることができ、睡眠時の寝返りなどでも枕カバーが外れてしまうようなことは無い。
【発明を実施するための最良の形態】
【０００９】
本発明の枕カバーは、枕本体に前後方向へ略一巻して枕本体を覆うカバー本体と、該カバー本体の終端から延伸する補助カバーからなる枕カバーであって、前記カバー本体の始端側と終端側の左右両縁部に始端側主留具と終端側主留具を固着し、前記始端側主留具に着脱可能に前記終端側主留具を嵌着して、前記カバー本体を前記枕本体に装着する。
また、前記カバー本体の始端側半分の左右両縁部に前後方向に沿って複数個の本体側調整留具を固着し、前記補助カバーの左右両縁部に前記本体側調整留具に着脱可能に嵌着する補助カバー側調整留具を少なくとも一個固着し、前記補助カバー側調整留具を前記本体側調整留具のいずれか一つに嵌着して前記補助カバーを前記カバー本体に装着する。
そして、前記カバー本体の始端側半分と終端側半分の左右両縁部の中間部に本体始端側副留具と本体終端側副留具を固着し、前記本体始端側副留具に着脱可能に本体終端側副留具は嵌着する。
【実施例１】
【００１０】
本実施例の枕カバー１０は、表面側を図１に示し、裏面側を図２に示す。枕カバー１０は長方形状に形成した吸湿性を備えるポリエステル等の合成繊維からなる織布に、複数個の留具１３ａ，１３ｂ，１４ａ，１４ｂ，１５ａ，１５ｂ，１５ｃ，１５ｄを織布の長手方向に沿って左右両縁部へ配置してなり、枕本体２０を覆うカバー本体１１と、カバー本体１１の終端から延伸される補助カバー１２とから構成される。
【００１１】
カバー本体１１と補助カバー１２の左右両縁部に配置される留具１３ａ，１３ｂ，１４ａ，１４ｂ，１５ａ，１５ｂ，１５ｃ，１５ｄは合成樹脂等からなり、嵌合凹部３１と嵌合凸部３２の凹凸一対からなる押フック釦３０が着脱自在に嵌着するように構成され、左右両縁部の所定位置に配設される留具は、枕カバー１０を挟んで対向する面から固着釦３３、嵌合凹部３１或いは嵌合凸部３２を嵌合し、表裏一体に形成して固着する。
【００１２】
カバー本体１１は、枕本体２０の前後幅方向を略倍にした長さに形成され、左右両縁部に主留具１３ａ，１３ｂ、副留具１４ａ，１４ｂ、本体側調整留具１５ａ，１５ｂ，１５ｃが所定位置に固着され、裏面側の左右両縁部に枕本体位置目印１６が所定位置に固着される。
図１に示すカバー本体１１の表面側には、始端側半分１１ａの左右両縁部に本体側調整留具１５ｂ，１５ｃ，１５ｄの嵌合凹部３１が中間部から前後方向に沿って終端側へ向かって一定の間隔で並設される。そして、始端側と終端側の左右両縁部に主留具１３ａ，１３ｂの固着釦３３が配設され、終端側半分１１ｂの左右両縁部の中間部には終端側副留具１４ｂの固着釦３３が配設される。
対して、図２に示すカバー本体１１の裏面側には、表面側に配設した上記の本体側調整留具１５ｂの嵌合凹部３１と同位置に始端側副留具１４ａの嵌合凸部３２が配設され、上記の本体調整留具１５ｃの嵌合凹部３１と同位置に本体側調整留具１５ｃの固着釦３３が配設され、上記の本体調整留具１５ｄの嵌合凹部３１と同位置に、着色等して他の固着釦３３と差別化した枕本体位置目印１６が配設される。そして、表面側に配設した固着釦３３とカバー本体１１を挟んで対向する位置に、始端側の左右両縁部へ始端側主留具１３ａの嵌合凸部３２が配設され、終端側の左右両縁部へ終端側主留具１３ｂの嵌合凹部３１が配設され、さらに、終端側半分の左右両縁部の中間部には終端側副留具１４ｂの嵌合凹部３１が配設される。
【００１３】
補助カバー１２は、カバー本体１１の終端から延伸され、カバー本体１１の始端側半分１１ａを略覆う長さに形成され、左右両縁部に調整目印１５Ａ、補助カバー側調整留具１５ａと止着留具１７が所定位置に固着される。
図１に示す補助カバー１２の表面側には、左右両縁部の中間部付近に他の固着釦３３と着色等して差別化した調整目印１５Ａが配設され、左右両縁部の終端側付近に端留具１７の固着釦３３が配設される。
図２に示す補助カバー１２の裏面側には、上記調整目印１５Ａと同位置に補助カバー側調整留具１５ａの嵌合凸部３２が配設され、上記端留具１７の固着釦３３と同位置に端留具１７の嵌合凸部３２が配設される。
【００１４】
枕カバー１０を装着する枕本体２０を図３に示す。
枕本体２０は、枕バッグ２１の内部に所定分量のパイプ２２を充填して構成される。枕バッグ２１はポリエステル等からなる合成繊維糸を網状に編んだ編地を長方形状に形成し、該編地を長手方向に沿って半分に折曲して、幅方向で重なり合う両縁部を縫着して袋状に形成すると共に、開口部へ合成樹脂等からなるファスナー２３を固着して形成される。そして、パイプ２２はポリエチレン等の合成樹脂等からなる直径が約５ｍｍ程度の細径管を約５ｍｍ程度の長さに切断して形成される。
【００１５】
本実施例の枕カバー１０と枕本体２０の構成は以上であって、次に本実施例の枕カバー１０の使用方法を示す。
まず、枕本体２０の左右後端部が図２に示した枕本体位置目印１６付近に来るように位置決めして、枕本体２０をカバー本体１１の裏面側に配置する。
次に、図４に示すように、カバー本体１１の始端側半分１１ａを折り返して、始端側主留具１３ａと終端側主留具１３ｂを嵌着し、始端側副留具１４ａと終端側副留具１４ｂを嵌着する。
そして、図５に示すように、補助カバー１２がカバー本体１１の始端側半分１１ａを覆うようにカバー本体１１側へ折り返して、補助カバー側調整留具１５ａを本体側調整留具１５ｂに嵌着し、端留具１７を本体側調整留具１５ｄに嵌着して、補助カバー１２の終端を枕の底面側に巻き込んで、枕はセッティングされる。
【００１６】
枕カバー１０を枕本体２０に装着した図５を側面から見た図を図６に示す。補助カバー１２がカバー本体１１の始端側半分１１ａを覆い、補助カバー側調整留具１５ａが本体側調整留具１５ｂに嵌着し、端留具１７が本体側調整留具１５ｄと嵌着しているとき、終端側主留具１３ｂから補助カバー側調整留具１５ａまでの幅と、始端側主留具１３ａから本体側調整留具１５ｂまでの幅は略等しい。そのため、補助カバー１２はカバー本体１１を締め付けずに装着されている。
次に補助カバー側調整留具１５ａを本体側調整留具１５ｃに嵌着した図を図７に示す。このとき上記の本体側調整留具１５ｂに嵌着したときと比較すると、カバー本体１１では、始端側主留具１３ａから本体側調整留具１５ｂまでの幅に、本体側調整留具１５ｂから本体側調整留具１５ｃまでの幅が加えられる。一方、補助カバー１２では、終端側主留具１３ｂから補助カバー側調整留具１５ａまでの長さは一定であるので、補助カバー１２がカバー本体１１の始端側半分１１ａを引っ張るようになり、カバー本体１１は枕本体２０を前後幅方向に押圧する。よって枕本体２０に充填されるパイプ２２は中央部分へ集められ、枕の高さは本体側調整留具１５ｂに補助カバー側調整留具１５ａを嵌着した場合よりも本体側調整留具１５ｃに嵌着した方が高くなる。
【００１７】
さらに、補助カバー側調整留具１５ａを本体側調整留具１５ｄに嵌着した図を図８に示す。このとき上記の本体側調整留具１５ｃに嵌着したときと比較すると、カバー本体１１では、始端側主留具１３ａから本体側調整留具１５ｃまでの幅に、本体側調整留具１５ｃから本体側調整留具１５ｄまでの幅が加えられる。一方、補助カバー１２では、終端側主留具１３ｂから補助カバー側調整留具１５ａまでの長さは一定であるので、補助カバー１２がカバー本体１１の始端側半分１１ａをさらに引っ張るようになり、カバー本体１１は枕本体２０を前後幅方向に押圧する。よって枕本体２０に充填されるパイプ２３は中央部分へ集められ、枕の高さは本体側調整留具１５ｃに補助カバー側調整留具１５ａを嵌着した場合よりも本体側調整留具１５ｄに嵌着した方が高くなる。
【実施例２】
【００１８】
図９に示す実施例２に係る枕カバー１０Ａは、実施例１に示した調整留具１５ａ，１５ｂ，１５ｃ，１５ｄの配設個所がカバー本体１１側と補助カバー１２側で反対になるように本体側調整留具１５ｅと補助カバー側調整留具１５ｆ，１５ｇ，１５ｈを固着した。
カバー本体１１の表面側には、始端側半分１１ａの左右両縁部の中間部へ本体側調整留具１５ｅの嵌合凹部３１或いは嵌合凸部３２を配設し、対向する補助カバー１２の裏面側には、左右両縁部の中間部から補助カバー１２始端に向かって前後方向に沿って一定の間隔を設けて補助カバー側調整留具１５ｆ，１５ｇ，１５ｈの嵌合凸部３２或いは嵌合凹部３１を配設して、凹凸一対となるように本体側調整留具１５ｅと補助カバー側調整留具１５ｆ，１５ｇ，１５ｈは着脱可能に嵌着される。
【００１９】
枕カバー１０Ａが枕本体２０に装着されると実施例１と同様に、補助カバー１２がカバー本体１１の始端側半分１１ａを覆い、補助カバー側調整留具１５ｆが本体側調整留具１５ｅに嵌着しているとき、終端側主留具１３ｂから補助カバー側調整留具１５ｆまでの幅と、始端側主留具１３ａから本体側調整留具１５ｅまでの幅は略等しい。そのため、補助カバー１２はカバー本体１１を締め付けずに装着されている。
次に補助カバー側調整留具１５ｇを本体側調整留具１５ｅに嵌着したとき、上記の補助カバー側調整留具１５ｆに嵌着したときと比較すると、補助カバー１２では、終端側主留具１３ｂと補助カバー側調整留具１５ｆの幅から、補助カバー側調整留具１５ｆと補助カバー側調整留具１５ｇの幅が減ぜられる。一方、カバー本体１１では、始端側主留具１３ａから本体側調整留具１５ｅまでの長さは一定であるので、調整留具を嵌着すると補助カバー１２がカバー本体１１の始端側半分１１ａを引っ張るようになり、カバー本体１１は枕本体２０を前後幅方向に押圧する。よって枕本体２０に充填されるパイプ２２は中央部分へ集められ、枕の高さは補助カバー側調整留具１５ｆに本体側調整留具１５ｅを嵌着した場合よりも補助カバー側調整留具１５ｇに嵌着した方が高くなる。
【００２０】
実施例１及び２において、枕カバー１０，１０Ａを、合成繊維からなる織布に換えて亜麻布、綿布或は絹布等の天然繊維等からなる吸湿性に優れた布地から形成したり、或は構成する布地に防臭効果、除菌効果等の各種付加効果を持たせ、安眠効果を高めることも可能である。
そして、枕カバー１０，１０Ａに用いた押しフック釦３０は、合成樹脂製に換えて防錆加工を施した金属等からなるものを用いたり、凹凸一対からなる押フック釦に換えて、鉤状体と環状体を係合してなるフックを用いることも可能である。
また、左右両縁部で前後方向に沿って複数個並設した側の調整留具の間隔や固着個数、配設位置を変えて枕の高さの変化幅を自在に設定することが可能である。
加えて、枕本体２０に充填される内容物を合成樹脂製のパイプ２３に換えて、モミ殻や蕎麦殻、羽毛等からなる天然素材を用いたり、吸湿効果や脱臭効果等の各種効果を付加した素材に変えて安眠効果を高めることも可能である。
【００２１】
実施例１によれば、カバー本体１１側の本体側調整留具１５ｂ，１５ｃ，１５ｄのうちの一つと補助カバー１２側の補助カバー側調整留具１５ａを嵌着することで枕の高さが３段階に調節できるようにした。そのため、使用者は好みや体格に合わせて枕の高さを自在に調節することができる。
また、実施例２によれば、補助カバー１２側の補助カバー側調整留具１５ｆ，１５ｇ，１５ｈのうちの一つとカバー本体１１側の本体側調整留具１５ｅを嵌着することで枕の高さが３段階に調節できるようにした。そのため、使用者は好みや体格に合わせて枕の高さを自在に調節することができる。
そして、実施例１及び２によれば、カバー本体１１に設けた主留具１３ａ，１３ｂと副留具１４ａ，１４ｂが着脱自在に嵌着するようにした。そのため、枕本体２０に装着した枕カバー１０は寝返り等によって左右方向にズレたりしない。
さらに、実施例１及び２によれば、主留具１３ａ，１３ｂ、副留具１４ａ，１４ｂ及び調整留具１５ａ，１５ｂ，１５ｃ，１５ｄ，１５ｅ，１５ｆ，１５ｇ，１５ｈを凹凸一対のボタンからなる押しフック釦が着脱自在に嵌着するように構成した。そのため、枕本体２０から枕カバー１０，１０Ａを容易に脱着することができる。したがって、宿泊施設等において寝床の準備や片付けをすばやく行なうことが可能になる。
くわえて、実施例１及び２によれば、補助カバー側調整留具１５ａ或いは１５ｆに補助カバー１２を挟んで表裏一体となるように調整目印１５Ａを嵌合して固着し、またカバー本体１１の左右両縁部の中間部で本体側調整留具１５ｂ或いは１５ｅにカバー本体１１を挟んで表裏一体となるように枕配置基準目印１６を嵌合して固着した。そのため、補助カバー１２による枕の高さの初期設定位置の判別が容易になり、かつ、枕本体２０を配置する位置の判別が容易になる。したがって、枕のセッティングがすばやく、かつ確実に行なうことが可能になる。
【図面の簡単な説明】
【００２２】
【図１】本発明の実施例１に係る枕カバーの表面側を示す平面図である。
【図２】本発明の実施例１に係る枕カバーの裏面側を示す平面図である。
【図３】本発明の実施例１に係る枕カバーが装着される枕本体を示す斜視図である。
【図４】本発明の実施例１に係る枕カバーのカバー本体を枕本体に装着したことを示す斜視図である。
【図５】本発明の実施例１に係る枕カバーを枕本体に装着したことを示す斜視図である。
【図６】本発明の実施例１に係る枕カバーにおいて枕が初期設定高さの場合の側面図である。
【図７】本発明の実施例１に係る枕カバーにおいて枕が図６の高さから一段階高くした場合の側面図である。
【図８】本発明の実施例１に係る枕カバーにおいて枕を図７の高さから一段階高くした場合の側面図である。
【図９】本発明の実施例２に係る枕カバーのカバー本体を枕本体に装着したことを示す斜視図である。
【符号の説明】
【００２３】
１０…枕カバー、１０Ａ…実施例２に係る枕カバー、
１１…カバー本体、１２…補助カバー、
１３ａ…始端側主留具、１３ｂ…終端側主留具、
１４ａ…始端側副留具、１４ｂ…終端側副留具、
１５ａ…補助カバー側調整留具、１５ｂ，１５ｃ，１５ｄ…本体側調整留具、
１５ｅ…実施例２に係る本体側調整留具、１５ｆ，１５ｇ，１５ｈ…実施例２に係る補助カバー側調整留具、
１５Ａ…調整目印、
１６…枕本体配置目印、
２０…枕本体、２１…枕バッグ、２２…パイプ、２３…ファスナー、
３０…押フック釦、３１…嵌合凹部、３２…嵌合凸部、３３…固着釦。
【図１】
2006094894.tif 000003
【図２】
2006094894.tif 000004
【図３】
2006094894.tif 000005
【図４】
2006094894.tif 000006
【図５】
2006094894.tif 000007
【図６】
2006094894.tif 000008
【図７】
2006094894.tif 000009
【図８】
2006094894.tif 000010
【図９】
2006094894.tif 000011